(57)【要約】      （修正有）【課題】キャスター付椅子兼ベッドを提供する。【解決手段】基礎枠体２の上面部には固定クッション部２１１と移動クッション部２１２とを重ねて２座席用の座部を形成し、基礎枠体の底面部にキャスターを設け、上面部と底面部との間には枠体の側面から進退自在の引出部３を設け、引出部は引き出し側の側面部と一体に形成し、引出部の上面には平坦な蓋部を設け、該引出部の底板にもキャスターを設け、キャスターを一括してロック及びロック解除操作を行うキャスター操作レバー４１を設け、移動する際にはキャスター操作レバーを操作してキャスターのロックを解除し、固定する際やベッドを形成する場合もキャスター操作レバーを操作して引出部を引出した後に固定して移動クッション部を移動させて蓋部に載せるキャスター付椅子兼ベッド。【選択図】図８
2015058266.tif 000002
【特許請求の範囲】
【請求項１】
上面部と底面部とからなる基礎枠体において、
該上面部には固定クッション部と移動クッション部とを重ねて２座席用の座部を形成し、
前記の底面部の底面に設けた底板には前後に一対のキャスターを設け、
前記上面部と底面部との間には枠体の側面から進退自在の引出部を設け、
該引出部は引き出す側の側面部と一体に形成し、該引出部の上面には平坦な蓋部を設けるとともに底板の前後に一対のキャスターを設け、
前記側面部の適所には前記両一対のキャスターを一括して同時にロック及びロック解除操作を行うキャスター操作レバーを設け、
椅子兼ベッドを移動する際には前記キャスター操作レバーを操作してキャスターのロックを解除し、固定する際にはキャスター操作レバーから使用者の手を離し、
ベッドを形成する場合もキャスター操作レバーを操作して前記引出部を引出した後に固定して前記移動クッション部を移動させて前記蓋部に載せることを特徴とするキャスター付椅子兼ベッド。
【請求項２】
前記引出部の前記一対のキャスターとは反対側の奥板の底面部には、中間キャスターとを設けたことを特徴とする請求項１に記載のキャスター付椅子兼ベッド。
【請求項３】
前記引出部は、前記蓋部は取外し自在として、収納部を形成することを特徴とする請求項１又は２に記載のキャスター付椅子兼ベッド。
【請求項４】
前記キャスター操作部からの各キャスターへの一括して同時にロック及びロック解除操作は同軸の操作伝達ワイヤーによって行うことを特徴とする請求項１から３の記載から選択されるキャスター付椅子兼ベッド。
【請求項５】
前記引出部の進退に伴う前記操作伝達ワイヤーである分岐ワイヤーの弛緩部分の貯留を前記基礎枠体の底面部又は前記引出部の底面部に設けた貯留部で吸収するようにしたことを特徴とする請求項１から４の記載から選択されるキャスター付椅子兼ベッド。
【請求項６】
前記引出部を後退して２人用の座部が形成した状態で該引出部が飛び出さないようにロックする引出ロック機構を設けたことを特徴する請求項１から５の記載から選択されるキャスター付椅子兼ベッド。
【発明の詳細な説明】
【技術分野】
【０００１】
本発明は腰掛けであるキャスター付の２座席用椅子を必要に応じてベッドにもなるキャスター付椅子兼ベッドに関し、特に、収納部を有するとともに、簡単にキャスターをロック／ロック解除でき、キャスター付椅子兼ベッドが移動と固定が簡単にできるキャスター付椅子兼ベッドに関するものである。
【背景技術】
【０００２】
従来より、病院の病室等には面会者用の椅子が用意されているが、病室との自由なスペースが狭く、大きな椅子等を常時置くスペースがない。そこで、本発明者は特許文献１に示すように、１人用椅子でも椅子の下部に収納部を設け、その収納部から必要な物品を出し入れすることができ、２人用椅子が必要な場合には座部を引き出して２座席用椅子として使用可能にすることができ、狭い病室等にも常備できるようにした椅子を提供している。
また、病室では被介護者が夜間等に付き添いしながら介護する場合もあり、椅子だけでなくベッドもあれば助かるとの要望もあった。
長さ方向に更に長く伸ばせる長椅子は特許文献２として、椅子をベッドにも変えられるものは特許文献３として提案されている。
また、オーバーベッドテーブルにおいて、一箇所の操作部によって４個のキャスターを一括してロック／ロック解除する機構は、本発明者によって、特許文献４として提案されている。
【先行技術文献】
【特許文献】
【０００３】
【特許文献１】特願２０１３−１２３２３６号
【特許文献２】特開２００２−２８０５０号公報
【特許文献３】実開昭６２−１５２５４号公報
【特許文献４】特開２０１１−５０６５４号公報
【発明の概要】
【発明が解決しようとする課題】
【０００４】
ところで、特許文献２の長椅子は長さが充分ではなく収納部も無く、移動も容易ではないといった問題点があり、特許文献３は幅広の座部で、ベッドを形成するにはさらに第２座板を前に引き出すので、大きなスペースを必要とするばかりか、収納部も無く、移動も容易ではないといった問題点があった。
本発明の課題は、このような問題点に鑑みてなされたもので、キャスター付椅子兼ベッドで、細長の２座席用の椅子の幅が狭い側部から、座部を引き出したベッドを形成することが可能なキャスター付椅子兼ベッドを提供しようとするものであり、さらに、収納部から必要な物品を出し入れすることができ、一箇所でキャスターのロック／ロック解除ができ、移動やベッド形成や固定が簡単にできるキャスター付椅子兼ベッドを提供しようとするものである。
【課題を解決するための手段】
【０００５】
上記課題を解決するために、請求項１の発明は、上面部と底面部とからなる基礎枠体において、該上面部には固定クッション部と移動クッション部とを重ねて２座席用の座部を形成し、前記の底面部の底面に設けた底板には前後に一対のキャスターを設け、前記上面部と底面部との間には枠体の側面から進退自在の引出部を設け、該引出部は引き出す側の側面部と一体に形成し、該引出部の上面には平坦な蓋部を設けるとともに底板の前後に一対のキャスターを設け、前記側面部の適所には前記両一対のキャスターを一括して同時にロック及びロック解除操作を行うキャスター操作レバーを設け、椅子兼ベッドを移動する際には前記キャスター操作レバーを操作してキャスターのロックを解除し、固定する際にはキャスター操作レバーから使用者の手を離し、ベッドを形成する場合もキャスター操作レバーを操作して前記引出部を引出した後に固定して前記移動クッション部を移動させて前記蓋部に載せることを特徴とするキャスター付椅子兼ベッドである。
【０００６】
請求項２の発明は、請求項１に記載のキャスター付椅子兼ベッドにおいて、前記引出部の前記一対のキャスターとは反対側の奥板の底面部には、中間キャスターとを設けたことを特徴とする。
請求項３の発明は、請求項１又は２に記載のキャスター付椅子兼ベッドにおいて、前記引出部は、前記蓋部は取外し自在として、収納部を形成することを特徴とする。
請求項４の発明は、請求項１から３の記載から選択されるキャスター付椅子兼ベッドにおいて、前記キャスター操作部からの各キャスターへの一括して同時にロック及びロック解除操作は同軸の操作伝達ワイヤーによって行うことを特徴とする。
請求項５の発明は、請求項１から４の記載から選択されるのキャスター付椅子兼ベッドにおいて、前記引出部の進退に伴う前記操作伝達ワイヤーである分岐ワイヤーの弛緩部分の貯留を前記基礎枠体の底面部又は前記引出部の底面部に設けた貯留部で吸収するようにしたことを特徴とする。
請求項６の発明は、請求項１から３の記載から選択されるのキャスター付椅子兼ベッドにおいて、前記引出部を後退して２人用の座部が形成した状態で該引出部が飛び出さないようにロックする引出ロック機構を設けたことを特徴する。
【発明の効果】
【０００７】
請求項１のキャスター付椅子兼ベッドの発明によれば、２人用の２座席キャスター付椅子として使用でき、この場合は、キャスター付椅子兼ベッドの２座席用の座部を使用しながら、引出部を側部から引き出して大きな収納部として使用でき、開口面積を大きくすることが可能な上部開口から必要な物品を出し入れすることも容易となる。また、移動クッション部を移動させればベッドが形成でき、２座席用椅子をベッドとして使用可能となる。特に、狭い病室等にも、必要であれば２座席用椅子及びベッドとして常備できる。
更に、複数のキャスターを一括して同時にロック及びロック解除操作を行うキャスター操作レバーを設けているので、椅子の移動と固定が簡単となり、引出部の底部には１対のキャスターを設けたので、僅かな力でスムースに引き出すことができ、かつ、使用時にはキャスターがロックされているので基礎枠体から引出部が不意に出るようなことを防止することができる。
【０００８】
請求項２のキャスター付椅子兼ベッドの発明によれば、中間キャスターを設けたので、更に、僅かな力でスムースに引き出し収納することができる。また、ベッドとして使用した場合にベッドの中央部が落ちこんで湾曲することを防止できる。
請求項３のキャスター付椅子兼ベッドの発明によれば、大きな収納空間を形成でき、蓋部は取外し自在として物品の収納や取り出しを簡単にできる。
請求項４のキャスター付椅子兼ベッドの発明によれば、キャスター操作部からの各キャスターへは操作伝達ワイヤーによって行うので、各双輪キャスターの位置や操作部の位置が自由に設計でき、操作の伝達も確実である。
請求項５のキャスター付椅子兼ベッドの発明によれば、引出部の進退に伴う前記操作伝達ワイヤーである分岐ワイヤーの弛緩部分の貯留を基礎枠体の底面部又は引出部の底面部に設けた貯留部で吸収するようにしたので、大きなスペースを必要とする貯留部を、デッドスペースを利用することでコンパクトにできる。
【図面の簡単な説明】
【０００９】
【図１】本発明のキャスター付椅子兼ベッドの実施例を２人用の椅子として使用する場合の斜視図、
【図２】図１の左側面図、
【図３】図１の底面図、
【図４】キャスター付椅子兼ベッドの実施例で引出を引き出した状態の斜視図
【図５】図４の平面図、
【図６】図４の正面、
【図７】図４の底面図、
【図８】キャスター付椅子兼ベッドの実施例をベッドとして使用する場合の斜視図、
【図９】図８の正面図、
【図１０】図８のＡ−Ａ線での断面図である。
【発明を実施するための形態】
【００１０】
本発明のキャスター付椅子兼ベッドの実施例を図面に沿って説明する。
[キャスター付椅子兼ベッドを２座席用椅子として使用する場合]
２座席用のキャスター付椅子として使用する場合を、図１から図３を用いて説明する。図１〜３は、本発明のキャスター付椅子兼ベッドを、通常の２人用のキャスター付椅子として使用する場合の図で、図１は右側斜視図、図２は左側面図、図３は底面図である。
図１はキャスター付椅子兼ベッド１を２座席用椅子として使用する左側斜視図であるが、図１０の引出部３を引き出した状態も断面図を参照して説明すると、基礎枠体２は上面部２１と底面部２２からなり、更に、基礎枠体２の背面には背面部２４、該背面部２４の上部は２人分の背もたれクッション部２４１が設けられ、右側面には右側面部２５の内側にも肘当てクッション部２５１が設けられ、上面部２１の前面には前面部２６(図９参照)が設けられている。
また、後に詳細に説明するように、引出部３の左側には２座席用椅子の左側面部３１を形成しており、左側面部３１の内側には肘当てクッション部３１１が設けられ、左側面部３１の外側には双輪キャスター５(図３参照)の操作部４と、凹部３１２（図２,８参照）にはキャスター操作レバー４１とが配置されている。
【００１１】
通常、このキャスター操作レバー４１は、図２等に示されるように、操作部４を中心に回動して下がっており、この状態では、図１の底面図である図３に示すように、底面部２２の底板２２１に取り付けられた一対の前後配置の枠体双輪キャスター５１と、後述する引出部３の底面部３２の下部の底板３２１本発明のキャスター付椅子兼ベッドの実施例を２人用の椅子として使用する場合のは斜視図に取り付けられた一対の前後配置の引出双輪キャスター５２とをロック状態に維持している。
キャスター付椅子兼ベッド１を移動する場合には、使用者がキャスター操作レバー４１を上方に挙げれば、操作部４では操作伝達ワイヤー(同軸ケーブル)４２で双輪キャスター５を操作するが、操作伝達ワイヤー(同軸ケーブル)４２である操作ワイヤー４２１から分岐盤４３で操作伝達ワイヤー４２である分岐ワイヤー(同軸ケーブル)４２２を介して、各双輪キャスター５のロックを一括して同時に解除し、キャスター付椅子兼ベッド１は旋回可能で車輪のロックも解除されいるので自由に移動が可能となる。また、キャスター操作レバー４１を操作者の手から離せば、キャスター操作レバー４１は内部のバネ等で自動的に上方に戻り、自動的に一括して同時に４個の双輪キャスター５をロックして、キャスター付椅子兼ベッド１が床に固定状態となる。
なお、後述するが、引出部３を進退する場合にキャスター操作レバー４１を上方に挙げて各双輪キャスター５のロックを一括して同時に解除して、基礎枠体２から引出部３の進退を可能にしている。また、図１０に示すように、引出部３の底面部３２の適所にはボールベアリング３２２が設けてあり、基礎枠体２の底面部２２の上底板２２１１の上面をスムースにスライドするようにしている。また、引出部３の進退をスムースにするために、基礎枠体２側の案内凹部２７と、引出部３側の案内凸部３７とが嵌合しながら移動するように設けられている。
【００１２】
キャスター付椅子兼ベッドを、このような２座席用の椅子とする場合に、図１０に示すように、引出部３が基礎枠体２の外に不用意に飛び出さないように、基礎枠体２側の底板２２１の先端部２２２(図３,７)の左右両端と、これに対向する引出部３の底面部３２の底板３２１の先端部３２３(図３,７)の所定箇所に軽い力で解除可能な引出ロック機構６が設けられている。このロック機構６は、弾力のある合成樹脂で作られた一対の挿入部分と受け部分(図示せず)とから構成され、使用者の通常の力で引出部３を引っ張り出せば図１０のように引出ロック機構６のロックが解除され、また、比較的強く押し込めば元の位置に収納させれば、図３のように両者が嵌合し、ロック状態を維持するが、同様な機能を有する公知の係合機構を用いればよい。
もっとも、底板２２１に取り付けられた枠体双輪キャスター５１と、底面部３２の底板３２１に取り付けられた引出双輪キャスター５２とがロック状態に維持されていれば、これらは動かないので、特に強い力でなければ、基礎枠体２と引出部３が離れることはなく、敢えて引出ロック機構６を設けなくてもよい。
【００１３】
[キャスター付椅子兼ベッドの引出部を収納部として使用の場合]
本実施例のキャスター付椅子兼ベッド１において、引出部３を収納部として使用する場合を説明する。
図５〜図７、図１０に示すように、引出部３は上部に開口された箱体で、基礎枠体２の上面部２１と底面部２２との間に設け、該箱体は２座席椅子を形成した場合の左側面に当たる左側面部３１と、底面部３２の底板３２１と両側板部３３と奥板部３４とから形成され、左側面部３１の内側上部は肘当てクッション部３１１と外側には双輪キャスター５の操作部４とキャスター操作レバー４１とが配置されている。引出部３の上面の開口には、開閉自在で上面には平坦の蓋部３５が設けられ、この蓋部３５は両側板部３３の係止部３３１に載せるような構成となっている。
【００１４】
引出部３に物品を収納する場合は、引出部３を基礎枠体２の左側面から進退自在に設けているが、該引出部３は椅子として使用した場合の引き出し側の側面部である左側面部３１が一体に形成され、この左側面部３１のキャスター操作レバー４１を上方に挙げて各双輪キャスター５のロックを一括して同時に解除し、基礎枠体２から引出部３を進退を可能とし、図１、３で左側面側に引き出して、キャスター操作レバー４１を操作者の手から離し、４個の双輪キャスター５をロックして、キャスター付椅子兼ベッド１を床に固定状態とする。
次に、上面の蓋部３５を外して物品を箱体内の収納部に物品を収納或いは取り出し、収納後或いは取り出し後に蓋部３５で上部の開口を塞ぎ、再び、左側面部３１のキャスター操作レバー４１を上方に挙げて進退可能として、基礎枠体２内に引出部３を押し込めて収納する。
なお、引出部３の左側面部３１の反対側の奥板３４側の底面部３２には中間キャスター５３が設けられ、引出部３の移動をスムースにしている。この中間キャスターには機構が複雑になるので、本実施例ではキャスターのロック／ロック解除機構は付けていないが、必要であればロック／ロック解除機構を設けてもよい。
また、ベッドとして使用する場合は、中間部分に寝る人の体重が加わりベッドの中央が下に湾曲する虞があるので、この中間キャスターは必要に応じて前後等に複数設けてもよい。
【００１５】
[ワイヤーの貯留部]
ここで、図３と図７を比較すれば判るように、基礎枠体２と引出部３は互いの距離が伸縮するので、それに伴い、引出部３の進退に伴う操作伝達ワイヤー４２である分岐ワイヤー４２２の弛緩部分の貯留を基礎枠体２の上下の２枚の底板２２１の上底板２２１１と下底板２２１２の間に設けた貯留部２３で分岐盤４３側は開口部２２４で開口されており、上下の２枚の底板２２１の空間で分岐ワイヤー４２２の弛緩部分を吸収するようにしている。
本実施例では基礎枠体２の枠体双輪キャスター５１への分岐ワイヤー４２２の貯留は、分岐ワイヤー４２２が比較的太い同軸ワイヤーを使用しているため自然に湾曲して貯留部２３内に収まり、この場合は実施例のような収縮スプリング２３１を設ける必要がないが、柔らかな細い同軸ワイヤーを使用した場合等には、必要に応じて、図３、図７に示すような収縮スプリング２３１やゴム等を使用して、強制的に同軸ワイヤーを引き込んで収納するようにしてもよい。
ここで、枠体双輪キャスター５１への分岐ワイヤー４２２は、底板２２１の貯留部２３から下側の底板２２１の貫通孔２２３から接続されている。
また、本実施例では貯留部２３を基礎枠体２に設けたが、引出部３の底面部３２に設けてもよい。
【００１６】
[キャスター付椅子兼ベッドをベッドとして使用の場合]
本実施例のキャスター付椅子兼ベッド１において、引出部３をベッドとして使用する場合を説明する。
ベッドとして使用の場合は、前項の[キャスター付椅子兼ベッドの引出部を収納部として使用の場合]での左側面側に引き出して、キャスター操作レバー４１を操作者の手から離し、４個の双輪キャスター５をロックして、キャスター付椅子兼ベッド１を床に固定状態とした工程までは、前項と同じである。
ベッドとして使用する場合は、引出部３の上面は開閉自在で、上面の平坦の蓋部３５はそのままで、図８から図１０に示すように、この平坦の蓋部３５の上面に回転クッション部２１２を反転(移動)させて蓋部３５に載せて、細長いクッション部を形成し、ベッドを形成する。この場合に、回転クッション部２１２は固定クッション部２１１の左側の縁部２１１１と左側面部３１の間にきっちりと嵌まる寸法にしておけば、ロックされて左側面部３１が移動することがない。
なお、本実施例では、図６では固定クッション部２１１の左側の縁縁２１１１が折り畳んだ状態の回転クッション部２１２の左側の縁部２１２１とは連結されているが、重ねて積層するだけで別体にしてもよい。
この場合に中間キャスター５３を設けたので、僅かな力でスムースに引き出し収納することができることに加え、また、ベッドとして使用した場合に、中央に中間キャスター５３が接地しているので、ベッドの左右の中央部が落ちこんで湾曲することを防止できる。
この場合に、自動的に一括して同時に４個の双輪キャスター５がロック状態となるので、キャスター付椅子兼ベッド１のベッドとしても床に固定状態となる。
こうして、ベッドさらに必要な場合でも、２座席用の椅子がベッドに変形でき、小型であるので狭い病室等にも常備できる。
【００１７】
以上のように、本発明のキャスター付椅子兼ベッドの実施例によれば、２人用の２座席キャスター付椅子として使用でき、この場合は、キャスター付椅子兼ベッドの２座席用の座部を使用しながら、引出部を側部から引き出して大きな収納部として使用でき、開口面積を大きくすることが可能な上部開口から必要な物品を出し入れすることが容易となる。また、回転クッション部を移動或いは反転させればベッドが形成でき、２座席用椅子をベッドとして使用可能となる。特に、狭い病室等にも、必要であれば２座席用椅子及びベッドとして常備できる。
更に、複数のキャスターを一括して同時にロック及びロック解除操作を行うキャスター操作レバーを設けているので、椅子の移動と固定が簡単となり、引出部の底部には１対のキャスターを設けたので、僅かな力でスムースに引き出すことができ、かつ、使用時にはキャスターがロックされているので基礎枠体から引出部が不意に出るようなことを防止することができる。
【００１８】
また、中間キャスター５３を設けたので、更に、僅かな力でスムースに引き出し収納することができる。また、ベッドとして使用した場合にベッドの中央部が落ちこんで湾曲することを防止でき、大きな収納空間を形成でき、蓋部３７は取り外し自在として物品の収納や取り出しが簡単にできる。
双輪キャスター５を一括して同時にロック及びロック解除操作を行うキャスター操作レバー４１と、キャスター操作部４からの各キャスターへは操作伝達ワイヤー４２によって行うので、各双輪キャスター５の位置や操作部の位置が自由に設計でき、操作の伝達も確実である。
また、引出部の進退に伴う前記操作伝達ワイヤー４２である分岐ワイヤー４２２の弛緩部分の貯留を基礎枠体２の底面部２２又は引出部３の底面部３２に設けた貯留部２３で吸収するようにしたので、大きなスペースを必要とする貯留部２３をデッドスペースを利用できコンパクトにできる。
なお、本発明の特徴を損なうものでなければ、上記の実施例に限定されるものでないことは勿論であり、例えば、回転クッション部２１２は必ずしも反転させる必要はなく、別体のクッションを重ねて積層して、ベッドを形成する場合は、別体のクッションを蓋部３５に移動させるようにしてもよいことは勿論である。
【符号の説明】
【００１９】
１・・キャスター付椅子兼ベッド、
２・・基礎枠体、２１・・上面部、
２１１・・固定クッション部、２１１１・・縁部、
２１２・・回転(移動)クッション部、２１２１・・縁部、
２２・・底面部、２２１・・底板、２２１１・・上底板、
２２１２・・下底板、２２２・・先端部、
２２３・・貫通孔、２２４・・開口部、
２３・・貯留部、２３１・・収縮スプリング、
２４・・背面部、２４１・・背もたれクッション部、
２５・・右側面部、２５１・・肘当てクッション部、
２６・・前面部、２７・・案内凹部、
３・・引出部、３１・・左側面部、３１１・・肘当てクッション部、
３１２・・凹部、
３２・・底面部、３２１・・底板、３２２・・ボールベアリング、
３２３・・先端部、
３３・・側板部、３３１・・係止部、
３４・・奥板(部)、３５・・蓋部、３７・・案内凸部、
４・・操作部、４１・・キャスター操作レバー、
４２・・ 操作伝達ワイヤー(同軸ケーブル)、
４２１・・操作ワイヤー(同軸ケーブル)、
４２２・・分岐ワイヤー(同軸ケーブル)、４３・・分岐盤、
５・・双輪キャスター、５１・・枠体双輪キャスター、
５２・・引出双輪キャスター、５３・・中間キャスター、
６・・ロック機構
【図１】
2015058266.tif 000003
【図２】
2015058266.tif 000004
【図３】
2015058266.tif 000005
【図４】
2015058266.tif 000006
【図５】
2015058266.tif 000007
【図６】
2015058266.tif 000008
【図７】
2015058266.tif 000009
【図８】
2015058266.tif 000010
【図９】
2015058266.tif 000011
【図１０】
2015058266.tif 000012